(57)【要約】【課題】ファッション性にも優れ、機能性や足への装着製にも優れた靴下を提供すること。【解決手段】発明１の靴下は、筒編部の先端に袋状の爪先部が一体化されてなる靴下であって、前記爪先部は甲部と足裏部との少なくともいずれか一方が、足指付根側と足指先端側に複数に分割された複数の正逆転編み生地と、それら生地間に介在された正転編生地からなることを特徴とし、発明２の靴下は、発明１の靴下において、正逆転編の生地の内、足指付根側生地より足指先端側生地が親指側に変位した位置に配置してなることを特徴とし、発明３の靴下は、発明１又は２の靴下において、甲部が円錐状に又は／及び足裏部がすり鉢状に形成されてなることを特徴とし、発明４の靴下は、発明１から３のいずれかの靴下において、甲部と足裏部との間に正転編生地が介在されていることを特徴とし、発明５の靴下は、発明１から４のいずれかの靴下において、正転編生地の内、正逆転編生地が連結されていない部分は、甲側又は足裏側では筒編部と爪先部間を閉止する縫合部とされていることを特徴とする。【特許請求の範囲】
【請求項１】
筒編部の先端に袋状の爪先部が一体化されてなる靴下であって、前記爪先部は甲部と足裏部との少なくともいずれか一方が、足指付根側と足指先端側に複数に分割された複数の正逆転編み生地と、それら生地間に介在された正転編生地からなることを特徴とする靴下。
【請求項２】
請求項１に記載の靴下において、正逆転編の生地の内、足指付根側生地より足指先端側生地が親指側に変位した位置に配置してなることを特徴とする靴下。
【請求項３】
請求項１又は２に記載の靴下において、甲部が円錐状に又は／及び足裏部がすり鉢状に形成されてなることを特徴とする靴下。
【請求項４】
請求項１から３のいずれかに記載の靴下において、甲部と足裏部との間に正転編生地が介在されていることを特徴とする靴下。
【請求項５】
請求項１から４のいずれかに記載の靴下において、正転編生地の内、正逆転編生地が連結されていない部分は、甲側又は足裏側では筒編部と爪先部間を閉止する縫合部とされていることを特徴とする靴下。
【発明の詳細な説明】
【技術分野】
【０００１】  本発明は、丸編機により編上げられ筒編部の先端に袋状の爪先部が一体化されてなる靴下に関し、より詳しくは、爪先部が甲部と足裏部とにより、それが正逆転編により形成されてなることを特徴とする。
【背景技術】
【０００２】  この種技術は、参考文献１に示されている通り、古くから存在し、爪先部を形成するのに、正逆転編を用いることは、丸編機による靴下の製造では伝統的ないものである。
そして、そのような技術において、参考文献２のように、足の平面形状に倣った左右が非対称なくつしたが作られるようになったが、丸編機の限界が生じた。
つまり、正逆転編は、連続した台形生地を作る場合は、左右対称のときは、針釜が反転するたびに、針数を増やす又は減少することで、左右対称台形の生地を連続に編むことで達成できたが、参考文献２のような、親指側に傾いた台形を形成するときは、コース数と針数のバランスを取らなければならず、結果的には、間欠的に針数の増減を行わないと参考文献２のような、傾斜した台形生地を得ることはできない。
この場合、できた靴下の左右の端部は、針数の増減間隔が大きくなると、爪先部の左または右若しくは両方の側縁部分に凹凸が生じるようなものとなり、ファッション性が重視される靴下には、このような構造を用いることができなかった。
また、人それぞれによって異なる足の形状や運動の種類などにより、求められる靴下の機能も異なり、参考文献２では、それらに適合する理想的な形状の靴下を得ることはできず、結果として人が靴下に合わせるようなこととなっていた。
【先行技術文献】
【特許文献】
【０００３】
【特許文献１】ＵＳＰ００１６２８５号公報
【特許文献２】ＷＯ９９／３６６０８号公報
【発明が解決しようとする課題】
【０００４】  本発明は、このような実情に鑑み、それが爪先部の左右側縁に凹凸が生じないようにしてさまざまな形状の靴下が得られるようにした靴下の爪先構造を提供することを課題とする。
【課題を解決のための手段】
【０００５】  発明１の靴下は、筒編部の先端に袋状の爪先部が一体化されてなる靴下であって、前記爪先部は甲部と足裏部との少なくともいずれか一方が、足指付根側と足指先端側に複数に分割された複数の正逆転編み生地と、それら生地間に介在された正転編生地からなることを特徴とする。
【０００６】  発明２の靴下は、発明１の靴下において、正逆転編の生地の内、足指付根側生地より足指先端側生地が親指側に変位した位置に配置してなることを特徴とする。
【０００７】  発明３の靴下は、発明１又は２の靴下において、甲部が円錐状に又は／及び足裏部がすり鉢状に形成されてなることを特徴とする。
【０００８】  発明４の靴下は、発明１から３のいずれかの靴下において、甲部と足裏部との間に正転編生地が介在されていることを特徴とする。
【０００９】  発明５の靴下は、発明１から４のいずれかの靴下において、正転編生地の内、正逆転編生地が連結されていない部分は、甲側又は足裏側では筒編部と爪先部間を閉止する縫合部とされていることを特徴とする。
【発明の効果】
【００１０】  発明１により、その形状が制限されざるを得ない正逆転編みによる生地を用いながら、正転編みによるコース位置の設定の自由度により、その限界を超えた形状の爪先部とすることができた。
また、発明２により、より足の形状に倣った形状の爪先部を有する靴下とすることができた。
さらに発明３により、甲部又は足裏部自体が、足の正面視での機能的な自由度を確保できる形状とすることができ、単に平面視的な形状のみならず、三次元的に、機能や用途に相応しい形状とすることができる。
さらに、発明４では、正逆編にｔｕｒｎｌｏｏｐ同士の連結なく、爪先部全体を連結することができたので、足への装着時の膨張時でも連結部分に目視可能なほど大きな孔がしょうじなくなった。
また、発明５によって、縫合部を別途編上げることなく、筒編部との爪先部とを縫合することができた。
【図面の簡単な説明】
【図１】実施例に示す爪先部のパターン図
【図２】図１のパターン図に基づく実施例の爪先部のモデル形状を示す正面図
【図３】図１のパターン図に基づく実施例の爪先部のモデル形状を示す平面図
【図４】図１のパターン図に基づく実施例の爪先部のモデル形状を示す左側面図
【符号の説明】
【００１１】足裏部生地  ＡＡ、ＡＢ
甲部生地    ＢＡ、ＢＢ
第一リング状部  Ｂ
第二リング状部  Ｃ
第三リング状部  Ｂ’
筒編部          Ａ
【発明を実施するための形態】
【００１２】  本発明は、従来は連続した正逆転編（往復編）にて編まれていた甲部生地と足裏部生地を、正転編にて複数に分割した点に第一の特長がある。
このようにすることで、分割された生地のコース方向での相対位置は、正転編で生じたリング状部のコース方向での設定に制限がなくなったことを利用して、下記実施例のような平面視左右非対称な靴下を製編するにおいても、
その甲部又は足裏部の形状が自由に設計できるのみならず、甲部と足裏部の連結線に生じるガタツキなどが生じずに、その設計どおりの形状にしえる。
そして、この正転編の介入により、正逆転編の編始め位置が自由になることにより、人によって異なる足の形状、その機能及び用途に最も適合した靴下の爪先形状を製編することができるようになった。
また、複数に分割された各生地を従来から最も頻繁に使用されていた左右対称な台形とすることで、長年利用され安定した正逆転編技術をそのまま用いながら新たな靴下を製造できるようになり、品質の信頼性を高めることができた。
【００１３】  そして、そのガタツキの要因が、設計形状が針数の一増減位置とコース数の比率が整数倍とならないことに起因することより、パターン図におけるこの比率を整数倍としながらも、当該正転編を挿入して爪先側の位置をコース方向で調整することで、このような正転編みの介入がない場合には、ガタツキとならざるを得ない形状でも、そのような問題なく甲部及び足裏部の形状を実現できるようになった。
【００１４】  また、下記実施例では、３本の正転編を、甲部中間部と、足裏部中間部及び甲部と足裏部との間に介在させてあるが、これら生地と連結されない部分は、筒編部（Ａ）と爪先部との非連続部分を閉止する縫合部として構成した。
この場合、縫合部を甲部側に設けた場合は甲部が、又足裏部に設けた場合は足裏部が他方に対して前方に迫出すこととなる。
このような迫出しがあったとしても、通常は正転編のウエール方向での長さが短い場合は大きな問題にはならないが、そのような迫出しによる甲部と足裏部との間のずれが、靴下の機能に大きく影響するケースも有りうるので、そのような場合は、迫出し側の部分（甲部又は足裏部）より他の部分の長さを長くするようにすることも可能である。
その対策の例をいくつか以下に説明するが、当該説明において、縫合部を甲側に設ける場合を前提に説明する。
足裏側に設ける場合は、甲部を足裏部に、足裏部を甲部に読みかえれば良い。
また、以下のいずれの対策においても、甲部と足裏部との形状が一致しない場合が生じるが、足の甲部と足裏部の形状や表面積はまったく同一ではないことから、それに近似するように甲部と足裏部のそれぞれを設計することで問題は解決し、従来より精密に足の立体的な形状に倣った靴下とすることも可能である。
【００１５】第一の対策
甲部に正転編みを介在させず、甲部は連続した正逆転編のみで生地を編み立てる。
第二の対策
甲部の正転編の介在数よりも、足裏部の正転編の介在数を増加する。
例えば、甲部の正転編を１本とし、足裏部の正転編を２本とした場合は、
甲側における正転編による長さは４本分となるが足裏側のそれは２本分となる。正転編の幅の２倍の迫出しが生じることとなる。
これを、第二リング部がないとした場合の下記実施例では、甲側が３本であるのに対して、足裏側は１本となり迫出しは３倍なる。
このようにして、正転編の介在本数、換言すれば、甲部と足裏部の正転編による分割数を異ならせることで、迫出しによる、甲部と足裏部との前後方向でのずれを軽減することができる。
第三の対策
甲部の正転編の幅（コース数）より足裏部の正転編の幅を大きくする。
例えば、下記実施例において、甲部の正転編のコース数を２とし、足裏部の正転編のコース数を４とした場合は、第二リング部がないとした場合の迫出しは、甲部の正転編の幅の２倍となる。
第四の対策
甲部の正逆転編生地のコース数に対して、足裏部の正逆転編生地のコース数を、縫合部を構成する正転編の全コース数分増加する。
例えば、下記実施例において、縫合部を構成する全コース数が６コースである場合（各リング状部のコース数はそれぞれ２コース）は、足裏部の生地（ＡＡ）と（ＡＢ）とをそれぞれ３コースずつ増やせば、甲部の迫出しはなくなることとなる。
【００１６】  以上の対策は、第一又は第二と他の対策の一つ又は二つと組合せたり、第二、第三を組み合わせることも可能であり、それをどのように組み合わせるべきかは、爪先部の形状をどのような立体形状とするかで決定されることである。
また、実施例に示すようなものであっても実用上問題のないものであることは明らかである。
さらに、前記各対策を逆に用いることで、甲部と足裏部との前後の位置をより大きく変位させることができるので、爪先部の形状がどのような立体形状に設計されようとも、それを実現した形状の爪先部を形成することができる。
【００１７】  また、正逆転編にて得られた生地の間にこのような正転編を介在することで、当該生地のＴｕｒｎＬｏｏｐ（正逆転により生じたループのこと）を正転編のｗａｌｅに連結することが可能となり、従来から問題となっていたＴｕｒｎＬｏｏｐ同士の連結により生じていた連結線における孔の発生を極力軽減させることにも成功したものである。
また、下記実施例では、３本の正転編は、爪先部の左右側面の足指の付け根近くで一体化され、その箇所の高さを３本の正転編の高さ分高くすることとなる。
このようにすることで、爪先部の足指の付け根部が最も高い爪先部としえることで、爪先部への足指への挿入時の抵抗を軽減し、靴下の装着を容易にすることができた。
なお、甲部や足裏部の生地の分割数は、下記実施例に限らず、３個以上とすることも可能である。
【実施例】
【００１８】本発明の製編方法
まず、正転編にて筒状に編み立てた筒編部（Ａ）を編み立てた後、編始線Ａａ−Ｂａから正逆転編（往復編）を開始する。
当該編始線Ａａ−Ｂａは、筒編部（Ａ）のリング状の編終端に存在するので、その設定位置がコース方向で制限されることはない。
この編始線Ａａ−Ｂａから始まった正逆転編は、編終線Ｃａ−Ｄａに至まで、針釜が反転するたびに作動させる編針を１目ずつ減少して編み立て、左右対称台形の足裏部生地（ＡＡ）を編み立てる。
次に、２から３コース、正転編みを行い、第一リング状部（Ｂ）を形成する。
足裏部生地（ＡＢ）の編始線Ａｂ−Ｂｂは、第一リング状部（Ｂ）のリング状の編終端に存在するので、コース方向で制限されることはない。
つまり、前記足裏部生地（ＡＡ）の編終線Ｃａ−Ｄａのコース位置にかかわらず、編始線Ａｂ−Ｂｂを自由に設定できることとなる。
本発明では、図１に示すように、前記足裏側生地（ＡＡ）に対して足裏部生地（ＡＢ）が親指側に変位したコース位置に編始線Ａｂ−Ｂｂを設定した。
そして、開始した正逆転編は、編終線Ｃｂ−Ｄｂに至まで、針釜が反転するたびに編針を１目ずつ減少して編み立て、左右対称台形の足裏部生地（Ｂ）を編み立てた。【００１９】  次に、２から３コース、正転編みを行い、第二リング状部（Ｃ）を形成する。
甲部生地（ＢＢ）の編始線Ｃｂ’−Ｄｂ’は、第二リング状部（Ｃ）の編終端に存在するので、コース方向で制限されることはない。
本発明では、本書に添付のパターン図に示すように、足裏部生地（ＡＢ）の編終線Ｃｂ−Ｄｂと同じコース位置になるように設定した。
そして、開始した正逆転編は、編始線Ａｂ’−Ｂｂ’に至まで、針釜が反転するたびに編針を１目ずつ増加して編み立て、左右対称台形の甲部生地ＢＢを編み立てる。
次に、２から３コース、正転編みを行い、第三リング状部（Ｂ’）を形成する。
甲部生地ＢＡの編始線Ｃａ’−Ｄａ’は、第三リング状部（Ｂ’）の編終端に存在するので、コース方向で制限されることはない。
本発明では、図１に示すように、甲部生地（ＢＢ）の編終線Ａｂ’−Ｂｂ’に対して小指側に変位したコース位置に設定した。
当該変位量は、前記編終線Ｃａ−Ｄａと編始線Ａｂ−Ｂｂの変位量と同じである。
そして、開始した正逆転編は、編終線Ａａ’−Ｂａ’に至まで、針釜が反転するたびに編針を１目ずつ増加して編み立て、左右対称台形の甲部生地ＢＡを編み立てる。
以上のようにして、甲部生地（ＢＡ）、（ＢＢ）と足裏部生地（ＡＡ）、（ＡＢ）を、正転編によるリング状部（Ｂ），（Ｂ’）にて足の前後方法で二分割し、正転編によって得られたコース方向での正逆転編開始位置の自由度を利用し、爪先部を足の根元側より先端側が親指側に変位した平面視左右非対称な甲部生地（甲部生地（ＢＡ）、（ＢＢ）及びその間に介在する第三リング状部（Ｂ’）の一部を総称する）と足裏部生地（足裏部生地（ＡＡ）、（ＡＢ）及びその間に介在する第一リング状部（Ｂ）の一部を総称する）を得ることができた。
このようにして得た生地を、以下の示すようにして連結して靴下を得た。【００２０】本実施例の連結技術
前記足裏部生地（ＡＡ）と前記足裏部生地（ＡＢ）と第一リング状部（Ｂ）及び第二リング状部（Ｃ）は次のようにして連結した。
前記足裏部生地（ＡＡ）の反転縁の内、Ａａ−Ｃａは第一リング状部（Ｂ）の編始端のＣａ−ａａと、Ｂａ−Ｄａは、第一リング状部（Ｂ）の編始端のＤａ−ｂａ（ｗａｌｅ）とそれぞれ連結した。
前記足裏部生地（ＡＢ）の反転縁の内、Ａｂ−Ｃｂは第二リング状部（Ｃ）の編始端のＣｂ−ａｂと、Ｂｂ−Ｄｂは、第二リング状部（Ｃ）の編始端のＤｂ−ｂｂとそれぞれ連結した。
前記甲部生地（ＢＡ）と前記甲部生地（ＢＢ）と第三リング状部（Ｂ’）及び第二リング状部（Ｃ）は次のようにして連結した。
前記甲部生地（ＢＡ）の反転縁（回動端）の内、Ａａ’−Ｃａ’（ＴｕｒｎＬｏｏｐ）は第三リング状部（Ｂ’）の編終端のＣａ’−ａａ’と、Ｂａ’−Ｄａ’は、第三リング状部（Ｂ’）の編終端のＤａ’−ｂａ’とそれぞれ連結した。
前記甲部生地（ＢＢ）の反転縁の内、Ａｂ’−Ｃｂ’は第二リング状部（Ｃ）の編終端のＣｂ’−ａｂ’と、Ｂｂ’−Ｄｂ’は、第二リング状部（Ｃ）の編終端のＤｂ’−ｂｂ’とそれぞれ連結した。
リング状部（Ｂ’）、（Ｃ）、（Ｂ）の内、上記のようにして他の生地と連結されなかった編始端と編終端は、以下のようにして相互に連結した。
第三リング状部（Ｂ’）の編始端が第二リング状部（Ｃ）の編終端と、第二リング状部（Ｃ）の編始端は第一リング状部（Ｂ）の編終端のそれぞれｗａｌｅ同士が連結されている。【００２１】  そして、第一リング状部（Ｂ）の編始端は正転編Ａ（ｗａｌｅ）に連結され、第三リング状部（Ｂ‘）の編終端は甲部生地（ＢＡ）の編終線Ａａ‘−Ｂａ’にミシンにより縫合して逢着（図中太い点線で示す）した。
なお、これとは逆に、第一リング状部（Ｂ）の編始端を正転編Ａとミシンにより縫合して逢着するために、第三リング状部（Ｂ’）の編終端は甲部生地（ＢＡ）の編終線Ａａ‘−Ｂａ’に連結することも可能である。
なお、第一リング状部、第二リング状部、第三リング状部のいずれかの間にミシン目による縫合を設定することも可能である。【００２２】  このようにして、ＴｕｒｎＬｏｏｐ同士の連結をなくし、足への装着による膨張下においても連結線に大きな孔が生じないようにした袋状の爪先部を正転編Ａの先端に形成することができた。
なお、一コース編み立てる毎に連結をおこなう、編立・連結同時進行型の丸編機が一般的であり、このような機械による場合は、編立・連結を総称して製編といっている。【００２３】  このように連結・逢着した結果、生地や連結の柔軟性がないと仮定して、パターン図（図１）の生地形状や生地の連結によって生じざるを得ない曲折のみを加味した靴下の形状であるモデル形状を図２、図３、図４に示す。
図中、太線は連結線、点線は他の生地と連続して編まれた生地同士の境界線、一点鎖線は、生地途中の折れ曲がり線、そして、中実線は、各図の爪先部の外形を示す線である。【００２４】  このようにして得られた本発明は、甲部ではＣａ’点、足裏部ではＣａ点を頂点として、全体が低い円錐形となっていて、甲部および足裏部の周端は、この円錐形の裾野にあたる最も低い箇所となっている。
当該円錐形の高さは、第二リング部（Ｃ）による高さにも及ばない低いものであり、機能的には、平坦な甲部又は足裏部と大差ないものである。
甲部生地と足裏部生地との間に存在するのは第二リング部（Ｃ）であるが、第一、三リング部（Ｂ），（Ｂ’）の左右両側部の一部も第二リング部（Ｃ）と同様に甲部生地と足裏部生地間に介在することとなるので、爪先部の周端における甲部と足裏部との間隔は、爪先部の付け根部（筒編部（Ａ）に近いほう）から先端部に向かって低くなっている。【００２５】  さらに、甲部の縫合部分の三本のリング部（Ｂ），（Ｂ’），（Ｃ）の介在により、甲部が足裏部より爪先部先端部に迫出すので、その分第二リング部（Ｃ）の先端部が前後に傾斜し、甲部（ＢＢ）の先端部と足裏部（ＡＢ）の先端部の間には殆ど高さがなくなる。
その結果、甲部と足裏部の円錐は、その中心線が先端側に倒れるように傾斜し、Ｃａ，Ｃａ’より根元側では甲部、足裏部の間隔は、Ｃａ、Ｃａ’に近づくほど緩やかに減少するが、これを超えて先端部に向かうと急速に狭くなってゆき、先端部では高さは殆どなくなる。
【図１】
2014040692.tif 000002
【図２】
2014040692.tif 000003
【図３】
2014040692.tif 000004
【図４】
2014040692.tif 000005